【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
モバイルデバイス上のナビゲーションプロセスを管理するための方法であって、
前記ナビゲーションプロセスをアクティブ状態からアクティビティ低下状態に遷移させることと、
前記ナビゲーションプロセスが前記アクティビティ低下状態から前記アクティブ状態に遷移すべき所定の経路上の遷移ロケーションを決定することと、
少なくとも１つの条件が満たされたことを示す１つまたは複数の信号を受信したことに応答して、前記ナビゲーションプロセスを前記アクティビティ低下状態から前記アクティブ状態に遷移させることであって、前記少なくとも１つの条件が、少なくとも部分的に、前記所定の経路上の前記遷移ロケーションによって決定され、前記少なくとも１つの条件が、前記ロケーションに対応する基地局識別子、すなわちＢＳＩＤまたはＢＳＩＤのセットを示す１つまたは複数のワイヤレス信号の獲得を備える、遷移させることと、
を備える、方法。
【請求項２】
前記所定の経路上の前記遷移ロケーションが、前記経路の目的地に少なくとも部分的に基づき、前記１つまたは複数の信号が、前記モバイルデバイスのロケーションを示し、前記少なくとも１つの条件が、前記モバイルデバイスが前記目的地に接近しているという推測を備える、請求項１に記載の方法。
【請求項３】
前記条件のうちの前記少なくとも１つが、移動した距離を備える、請求項１に記載の方法。
【請求項４】
前記条件のうちの前記少なくとも１つが、サービスセット識別子、すなわちＳＳＩＤまたはＳＳＩＤのセットを示す１つまたは複数のワイヤレス信号の獲得を備える、請求項１に記載の方法。
【請求項５】
前記条件のうちの前記少なくとも１つが、少なくとも部分的に、有界領域またはジオフェンスによって決定される、請求項１に記載の方法。
【請求項６】
前記ナビゲーションプロセスを前記アクティブ状態から前記アクティビティ低下状態に遷移させることが、前記モバイルデバイスが特定の時間または移動した距離にわたって依然として特定の道路またはハイウェイにあると予想されることを示す１つまたは複数の条件に応答して、前記アクティビティ低下状態に遷移させることをさらに備える、請求項１に記載の方法。
【請求項７】
経路命令内の選択されたステップに少なくとも部分的に基づいて、前記所定の経路上の前記遷移ロケーションを決定することをさらに備える、請求項１に記載の方法。
【請求項８】
前記所定の経路のマップのディスプレイをオーバーレイするタッチスクリーン上で受信した選択肢に少なくとも部分的に基づいて、前記所定の経路上の前記遷移ロケーションを決定することをさらに備える、請求項１に記載の方法。
【請求項９】
前記所定の経路に沿った選択された名前付きの中間地点のロケーションに少なくとも部分的に基づいて、前記所定の経路上の前記遷移ロケーションを決定することをさらに備える、請求項１に記載の方法。
【請求項１０】
前記ナビゲーションプロセスが前記アクティビティ低下状態にある間、少なくとも１つのセンサー監視プロセスを維持することであって、前記少なくとも１つのセンサー監視プロセスが、少なくとも部分的に、前記少なくとも１つの条件が満たされたことを示す前記１つまたは複数の信号を前記受信したことに応答することをさらに備える、請求項１に記載の方法。
【請求項１１】
前記モバイルデバイスが音声出力デバイスとディスプレイとを備え、前記ナビゲーションプロセスを前記アクティブ状態から前記アクティビティ低下状態に前記遷移させることに応答して、前記音声出力デバイスと前記ディスプレイとを他のプロセスで利用可能にすることをさらに備える、請求項１０に記載の方法。
【請求項１２】
前記ナビゲーションプロセスを前記アクティブ状態から前記アクティビティ低下状態に前記遷移させることに応答して、前記ナビゲーションプロセスに起因するプロセッサアクティビティを低減することをさらに備える、請求項１１に記載の方法。
【請求項１３】
モバイルデバイス上のナビゲーションプロセスを管理するための装置であって、
前記ナビゲーションプロセスをアクティブ状態からアクティビティ低下状態に遷移させるための手段と、
前記ナビゲーションプロセスが前記アクティビティ低下状態から前記アクティブ状態に遷移すべき所定の経路上の遷移ロケーションを決定するための手段と、
少なくとも１つの条件が満たされたことを示す１つまたは複数の信号を受信したことに応答して、前記ナビゲーションプロセスを前記アクティビティ低下状態から前記アクティブ状態に遷移させるための手段であって、前記少なくとも１つの条件が、少なくとも部分的に、前記ナビゲーションプロセスが前記アクティブ状態に遷移すべき前記所定の経路上の前記遷移ロケーションによって決定され、前記少なくとも１つの条件が、前記ロケーションに対応する基地局識別子、すなわちＢＳＩＤまたはＢＳＩＤのセットを示す１つまたは複数のワイヤレス信号の獲得を備える、手段と
を備える装置。
【請求項１４】
前記装置は、無線周波信号を受信するための受信機を備えるモバイルデバイスであり、決定するための前記手段、前記ナビゲーションプロセスをアクティブ状態からアクティビティ低下状態に遷移させるための前記手段、および前記ナビゲーションプロセスを前記アクティブ状態に遷移させるための前記手段は、プロセッサを備える、請求項１３に記載の装置。
【請求項１５】
請求項１から１２のいずれか１項に記載の方法のステップをすべて実現するようにコンピュータ実行可能なプログラム命令を備える、コンピュータプログラム。
【手続補正２】
【補正対象書類名】明細書
【補正対象項目名】００５３
【補正方法】変更
【補正の内容】
【００５３】
[0056]現在例示的な特徴と考えられていることを例示し説明したが、請求する主題を逸脱することなく、他の様々な変更が行われ得ること、均等物が代用され得ることが、当業者には理解されよう。さらに、本明細書で説明する中心概念から逸脱することなく、請求する主題の教示に特定の状況を適合させるために多くの変更が行われ得る。したがって、請求する主題は、開示した特定の例に限定されず、そのような請求する主題は、添付の特許請求の範囲の範囲内に入るすべての態様、およびその均等物をも含むものとする。
以下に、出願当初の特許請求の範囲に記載された発明を付記する。
［Ｃ１］
モバイルデバイス上のナビゲーションプロセスを管理するための方法であって、
前記ナビゲーションプロセスをアクティブ状態からアクティビティ低下状態に遷移させることと、
少なくとも１つの条件が満たされたことを示す１つまたは複数の信号を受信したことに応答して、前記ナビゲーションプロセスを前記アクティビティ低下状態から前記アクティブ状態に遷移させることであって、前記少なくとも１つの条件が、少なくとも部分的に、前記ナビゲーションプロセスが前記アクティブ状態に遷移すべき所定の経路上の遷移ロケーションによって決定されることとを備える方法。
［Ｃ２］
前記所定の経路上の前記遷移ロケーションが、前記経路の目的地に少なくとも部分的に基づく、Ｃ１に記載の方法。
［Ｃ３］
前記１つまたは複数の信号が、前記モバイルデバイスのロケーションを示し、前記少なくとも１つの条件が、前記モバイルデバイスが前記目的地に接近しているという推測を備える、Ｃ２に記載の方法。
［Ｃ４］
前記条件のうちの前記少なくとも１つが、移動した距離を備える、Ｃ１に記載の方法。
［Ｃ５］
前記条件のうちの前記少なくとも１つが、サービスセット識別子（ＳＳＩＤ）またはＳＳＩＤのセットを示す１つまたは複数のワイヤレス信号の獲得を備える、Ｃ１に記載の方法。
［Ｃ６］
前記条件のうちの前記少なくとも１つが、基地局識別子（ＢＳＩＤ）またはＢＳＩＤのセットを示す１つまたは複数のワイヤレス信号の獲得を備える、Ｃ１に記載の方法。
［Ｃ７］
前記条件のうちの前記少なくとも１つが、少なくとも部分的に、有界領域またはジオフェンスによって決定される、Ｃ１に記載の方法。
［Ｃ８］
前記ナビゲーションプロセスを前記アクティブ状態から前記アクティビティ低下状態に遷移させることが、前記モバイルデバイスが特定の時間または移動した距離にわたって依然として特定の道路またはハイウェイにあると予想されることを示す１つまたは複数の条件に応答して、前記アクティビティ低下状態に遷移させることをさらに備える、Ｃ１に記載の方法。
［Ｃ９］
経路命令内の選択されたステップに少なくとも部分的に基づいて、前記所定の経路上の前記遷移ロケーションを決定することをさらに備える、Ｃ１に記載の方法。
［Ｃ１０］
前記所定の経路のマップのディスプレイをオーバーレイするタッチスクリーン上で受信した選択肢に少なくとも部分的に基づいて、前記所定の経路上の前記遷移ロケーションを決定することをさらに備える、Ｃ１に記載の方法。
［Ｃ１１］
前記所定の経路に沿った選択された名前付きの中間地点のロケーションに少なくとも部分的に基づいて、前記所定の経路上の前記遷移ロケーションを決定することをさらに備える、Ｃ１に記載の方法。
［Ｃ１２］
前記ナビゲーションプロセスが前記アクティビティ低下状態にある間、少なくとも１つのセンサー監視プロセスを維持することであって、前記少なくとも１つのセンサー監視プロセスが、少なくとも部分的に、前記少なくとも１つの条件が満たされたことを示す前記１つまたは複数の信号を前記受信したことに応答することをさらに備える、Ｃ１に記載の方法。
［Ｃ１３］
前記モバイルデバイスが音声出力デバイスとディスプレイとを備え、前記ナビゲーションプロセスを前記アクティブ状態から前記アクティビティ低下状態に前記遷移させることに応答して、前記音声出力デバイスと前記ディスプレイとを他のプロセスで利用可能にすることをさらに備える、Ｃ１２に記載の方法。
［Ｃ１４］
前記ナビゲーションプロセスを前記アクティブ状態から前記アクティビティ低下状態に前記遷移させることに応答して、前記ナビゲーションプロセスに起因するプロセッサアクティビティを低減することをさらに備える、Ｃ１３に記載の方法。
［Ｃ１５］
無線周波信号を受信するための受信機と、
ナビゲーションプロセスをアクティブ状態からアクティビティ低下状態に遷移させて、前記受信信号の処理に影響を及ぼすことと、
少なくとも１つの条件が満たされたことを示す１つまたは複数の信号を受信したことに応答して、前記ナビゲーションプロセスを前記アクティビティ低下状態から前記アクティブ状態に遷移させることであって、前記少なくとも１つの条件が、少なくとも部分的に、前記ナビゲーションプロセスが前記アクティブ状態に遷移すべき所定の経路上の遷移ロケーションによって決定されることとを行うためのプロセッサとを備えるモバイルデバイス。
［Ｃ１６］
前記所定の経路上の前記遷移ロケーションが、前記経路の目的地に少なくとも部分的に基づく、Ｃ１５に記載のモバイルデバイス。
［Ｃ１７］
前記１つまたは複数の信号が、前記モバイルデバイスのロケーションを示し、前記少なくとも１つの条件が、前記モバイルデバイスが前記目的地に接近しているという推測を備える、Ｃ１６に記載のモバイルデバイス。
［Ｃ１８］
ディスプレイデバイスと、前記ディスプレイデバイスをオーバーレイするタッチスクリーンとをさらに備え、前記プロセッサがさらに、前記ディスプレイデバイス上の前記所定の経路のマップのディスプレイをオーバーレイする前記タッチスクリーン上で受信した選択肢に少なくとも部分的に基づいて、前記所定の経路上の前記遷移ロケーションを決定する、Ｃ１６に記載のモバイルデバイス。
［Ｃ１９］
前記プロセッサがさらに、前記ナビゲーションプロセスが前記アクティビティ低下状態にある間、少なくとも１つのセンサー監視プロセスを維持し、前記少なくとも１つのセンサー監視プロセスが、少なくとも部分的に、前記少なくとも１つの条件が満たされたことを示す前記１つまたは複数の信号を前記受信したことに応答する、Ｃ１５に記載のモバイルデバイス。
［Ｃ２０］
前記モバイルデバイスが音声出力デバイスとディスプレイデバイスとをさらに備え、前記プロセッサがさらに、前記ナビゲーションプロセスの前記アクティブ状態から前記アクティビティ低下状態への前記遷移に応答して、前記音声出力デバイスと前記ディスプレイデバイスとを他のプロセスで利用可能にする、Ｃ１９に記載のモバイルデバイス。
［Ｃ２１］
モバイルデバイス上のナビゲーションプロセスを管理するための装置であって、
前記ナビゲーションプロセスをアクティブ状態からアクティビティ低下状態に遷移させるための手段と、
少なくとも１つの条件が満たされたことを示す１つまたは複数の信号を受信したことに応答して、前記ナビゲーションプロセスを前記アクティビティ低下状態から前記アクティブ状態に遷移させるための手段であって、前記少なくとも１つの条件が、少なくとも部分的に、前記ナビゲーションプロセスが前記アクティブ状態に遷移すべき所定の経路上の遷移ロケーションによって決定される、手段とを備える装置。
［Ｃ２２］
前記ナビゲーションプロセスを前記アクティブ状態から前記アクティビティ低下状態に遷移させるための前記手段が、前記モバイルデバイスが特定の時間または移動した距離にわたって依然として特定の道路またはハイウェイにあると予想されることを示す１つまたは複数の条件に応答して、前記アクティビティ低下状態に遷移させるための手段をさらに備える、Ｃ２１に記載の装置。
［Ｃ２３］
経路命令内の選択されたステップに少なくとも部分的に基づいて、前記所定の経路上の前記遷移ロケーションを決定するための手段をさらに備える、Ｃ２１に記載の装置。
［Ｃ２４］
前記所定の経路のマップのディスプレイをオーバーレイするタッチスクリーン上で受信した選択肢に少なくとも部分的に基づいて、前記所定の経路上の前記遷移ロケーションを決定するための手段をさらに備える、Ｃ２１に記載の装置。
［Ｃ２５］
前記所定の経路に沿った選択された名前付きの中間地点のロケーションに少なくとも部分的に基づいて、前記所定の経路上の前記遷移ロケーションを決定するための手段をさらに備える、Ｃ２１に記載の装置。
［Ｃ２６］
前記ナビゲーションプロセスが前記アクティビティ低下状態にある間、少なくとも１つのセンサー監視プロセスを維持するための手段であって、前記少なくとも１つのセンサー監視プロセスが、少なくとも部分的に、前記少なくとも１つの条件が満たされたことを示す前記１つまたは複数の信号を前記受信したことに応答する、手段をさらに備える、Ｃ２１に記載の装置。
［Ｃ２７］
モバイルデバイス上の前記ナビゲーションプロセスをアクティブ状態からアクティビティ低下状態に遷移させることと、
少なくとも１つの条件が満たされたことを示す１つまたは複数の信号を受信したことに応答して、前記ナビゲーションプロセスを前記アクティビティ低下状態から前記アクティブ状態に遷移させることであって、前記少なくとも１つの条件が、少なくとも部分的に、前記ナビゲーションプロセスが前記アクティブ状態に遷移すべき所定の経路上の遷移ロケーションによって決定されることとを行うように、専用コンピューティング装置によって実行可能である、その上に記憶された機械可読命令を備える非一時的記憶媒体を備える物品。
［Ｃ２８］
前記命令がさらに、前記モバイルデバイスが特定の時間または移動した距離にわたって依然として特定の道路またはハイウェイにあると予想されることを示す１つまたは複数の条件に応答して、前記ナビゲーションプロセスを前記アクティビティ低下状態に遷移させるように、前記専用コンピューティング装置によって実行可能である、Ｃ２７に記載の物品。
［Ｃ２９］
前記命令がさらに、経路命令内の選択されたステップに少なくとも部分的に基づいて、前記所定の経路上の前記遷移ロケーションを決定するように、前記専用コンピューティング装置によって実行可能である、Ｃ２７に記載の物品。
［Ｃ３０］
前記命令がさらに、前記所定の経路のマップのディスプレイをオーバーレイするタッチスクリーン上で受信した選択肢に少なくとも部分的に基づいて、前記所定の経路上の前記遷移ロケーションを決定するように、前記専用コンピューティング装置によって実行可能である、Ｃ２７に記載の物品。
［Ｃ３１］
前記命令がさらに、前記所定の経路に沿った選択された名前付きの中間地点のロケーションに少なくとも部分的に基づいて、前記所定の経路上の前記遷移ロケーションを決定するように、前記専用コンピューティング装置によって実行可能である、Ｃ２７に記載の物品。
［Ｃ３２］
前記命令がさらに、前記ナビゲーションプロセスが前記アクティビティ低下状態にある間、少なくとも１つのセンサー監視プロセスを維持し、前記少なくとも１つのセンサー監視プロセスが、少なくとも部分的に、前記少なくとも１つの条件が満たされたことを示す前記１つまたは複数の信号を前記受信したことに応答するように、前記専用コンピューティング装置によって実行可能である、Ｃ２７に記載の物品。